(57)【要約】【課題】換気量を安定させることができ、靴本体部内の換気を十分に行うことができるようにする。【解決手段】靴本体部３１と、通気部を備えたソール３２と、ポンプ装置４３を備えたヒール３３とを有する。通気部は、空気を吸引してポンプ装置４３に供給するための第１の通気路、ポンプ装置４３内の空気を排出するための第２の通気路を備える。ポンプ装置４３は、第１の層構造体、第２の層構造体、伸縮自在に配設された第３の層構造体、及び第３の層構造体の伸縮に伴って作動させられ、ポンプ室６０に空気を吸引し、ポンプ室６０の空気を排出する弁ユニット５８を備える。弁ユニット５８は、第２の層構造体のストローク量を設定する。装着者の体重の大きさによってストローク量が変化することがない。【選択図】図１
2013212348.tif 000002
【特許請求の範囲】
【請求項１】
（ａ）靴本体部と、
（ｂ）該靴本体部の底部を覆い、通気部を備えたソールと、
（ｃ）該ソールの後端部に形成され、ポンプ装置を備えたヒールとを有するとともに、
（ｄ）前記通気部は、空気を吸引してポンプ装置に供給するための第１の通気路、及びポンプ装置内の空気を排出するための第２の通気路を備え、
（ｅ）前記ポンプ装置は、前記ヒールの上端部に配設された第１の層構造体、該第１の層構造体と対向させて、かつ、第１の層構造体に対して上下方向に進退自在に配設された第２の層構造体、前記第１、第２の層構造体間において伸縮自在に配設された第３の層構造体、及び前記第２の層構造体との間にポンプ室を形成し、前記第３の層構造体の伸縮に伴って作動させられ、ポンプ室に空気を吸引し、ポンプ室の空気を排出する弁ユニットを備え、
（ｆ）該弁ユニットは、前記第２の層構造体の上下方向におけるストローク量を設定することを特徴とする換気靴。
【請求項２】
前記第３の層構造体は、前記弁ユニットを包囲する環状体から成る請求項１に記載の換気靴。
【請求項３】
前記第１、第２の層構造体は、前記ソールにおける前方領域で互いに固定される請求項１又は２に記載の換気靴。
【請求項４】
前記第２の層構造体は、前記第１の層構造体に向けて突出させて形成され、第１の層構造体に対する第２の層構造体の水平方向の移動を規制する規制部を備える請求項１又は２に記載の換気靴。
【発明の詳細な説明】
【技術分野】
【０００１】
本発明は、換気靴に関するものである。
【背景技術】
【０００２】
従来、靴は、靴本体部、該靴本体部の底部を覆うソール、該ソールの後端部において下方に突出させて形成されたヒール等から成り、前記靴本体部は、主に、皮革、布、ゴム、ビニール等によって形成されるようになっている。前記靴においては、通気性が悪いので、湿度の高い環境下で長時間靴を装着していると、靴内が蒸れやすく、靴を装着する者、すなわち、装着者は不快感を覚えてしまう。
【０００３】
靴本体部内の換気を行うために、靴本体部に通気孔を形成することが考えられるが、その場合、例えば、降雨時に通気孔を介して靴本体部内に水が進入してしまい、靴の利便性が低下してしまう。
【０００４】
そこで、前記ヒールにポンプ室を形成し、装着者が歩行するのに伴ってポンプ室内の圧力を変化させることによって、靴本体部内の空気を靴本体部外に排出し、換気を行うようにした換気靴が提供されている。
【０００５】
図２は従来の換気靴の縦断面図である。
【０００６】
図において、１０は換気靴、１１は靴本体部、１２は該靴本体部１１の底部を覆うソール、１３は前記換気靴１０の後端部において下方に突出させて形成されたヒールであり、前記ソール１２は、弾性材料から成る中底１５、及び地面と接触する下底１６を備え、該下底１６に複数の凹部１８が形成され、前記中底１５に、各凹部１８と靴本体部１１内とを連通させて連通孔１９が形成される。
【０００７】
また、前記ヒール１３内には中空のポンプ室２１が形成され、該ポンプ室２１は、前記各凹部１８と逆止弁２２を介して、換気靴１０外と逆止弁２３を介して連通させられる。そして、前記ポンプ室２１の上方には、前記中底１５の一部によって形成されたポンプ作動壁２５が配設され、該ポンプ作動壁２５によって前記ポンプ室２１が覆われる。
【０００８】
この場合、前記ポンプ作動壁２５は、上方に向けてわずかに湾曲させて形成されるので、歩行に伴ってポンプ作動壁２５に装着者の体重が加わると、ポンプ作動壁２５は踵によって押されて変形させられ、偏平な作動状態になり、ポンプ室２１内の圧力が高くなる。その結果、逆止弁２３が開放され、ポンプ室２１内の空気が換気靴１０外に排出される。
【０００９】
続いて、装着者の踵がポンプ作動壁２５から離れ、ポンプ作動壁２５に装着者の体重が加わらなくなると、ポンプ作動壁２５は、復元して元の湾曲した非作動状態に戻り、ポンプ室２１内の圧力が低くなる。その結果、逆止弁２２が開放され、靴本体部１１内の空気が連通孔１９及び各凹部１８を介してポンプ室２１に供給される（例えば、特許文献１参照。）。
【先行技術文献】
【特許文献】
【００１０】
【特許文献１】実開平２−２００４号公報
【発明の概要】
【発明が解決しようとする課題】
【００１１】
しかしながら、前記従来の換気靴１０においては、湾曲させて形成されたポンプ作動壁２５を、偏平な作動状態にしたり、湾曲した非作動状態にしたりすることによってポンプ室２１内の圧力を変化させるようにしているので、装着者の体重の大きさによってポンプ作動壁２５の変形の仕方、変形量等が変化してしまう。
【００１２】
したがって、換気靴１０外に排出されたり、ポンプ室２１に供給されたりする空気の量、すなわち、換気量を安定させることができない。
【００１３】
また、靴本体部１１に装着者の足が精度良く密着して装着されると、踵がポンプ作動壁２５から離れなくなり、ポンプ作動壁２５が偏平な作動状態のままになることがある。その場合、ポンプ作動壁２５が湾曲した非作動状態に戻らなくなり、靴本体部１１内の空気がポンプ室２１に供給されなくなる。その結果、靴本体部１１内の換気を行うことができなくなってしまう。
【００１４】
さらに、前記ポンプ室２１と換気靴１０外とが逆止弁２３を介して連通させられるようになっているので、歩行に伴って換気靴１０外から泥、水等の異物が逆止弁２３内に進入すると、逆止弁２３が円滑に作動しなくなることがある。その場合、前記ポンプ室２１から換気靴１０外に空気を安定させて排出することができず、靴本体部１１内の換気を十分に行うことができなくなってしまう。
【００１５】
本発明は、前記従来の換気靴１０の問題点を解決して、換気量を安定させることができ、靴本体部内の換気を十分に行うことができる換気靴を提供することを目的とする。
【課題を解決するための手段】
【００１６】
本発明の換気靴においては、靴本体部と、該靴本体部の底部を覆い、通気部を備えたソールと、該ソールの後端部に形成され、ポンプ装置を備えたヒールとを有する。
【００１７】
そして、前記通気部は、空気を吸引してポンプ装置に供給するための第１の通気路、及びポンプ装置内の空気を排出するための第２の通気路を備える。
【００１８】
また、前記ポンプ装置は、前記ヒールの上端部に配設された第１の層構造体、該第１の層構造体と対向させて、かつ、第１の層構造体に対して上下方向に進退自在に配設された第２の層構造体、前記第１、第２の層構造体間において伸縮自在に配設された第３の層構造体、及び前記第２の層構造体との間にポンプ室を形成し、前記第３の層構造体の伸縮に伴って作動させられ、ポンプ室に空気を吸引し、ポンプ室の空気を排出する弁ユニットを備える。
【００１９】
そして、該弁ユニットは、前記第２の層構造体の上下方向におけるストローク量を設定する。
【発明の効果】
【００２０】
本発明によれば、弁ユニットによって第２の層構造体の上下方向におけるストローク量が設定されるので、装着者の体重の大きさによってストローク量が変化することがない。したがって、換気量を常に一定にすることができる。
【００２１】
また、靴本体部に装着者の足が精度良く密着して装着されると、踵がヒールから離れなくなることがあるが、第１の層構造体に対して第２の層構造体を相対的に移動させることができるので、靴本体部内の換気を十分に行うことができる。
【図面の簡単な説明】
【００２２】
【図１】本発明の第１の実施の形態における換気装置の第１の状態を示す縦断面図である。
【図２】従来の換気靴の縦断面図である。
【図３】本発明の第１の実施の形態における換気靴の縦断面図である。
【図４】本発明の第１の実施の形態における換気靴の平面図である。
【図５】本発明の第１の実施の形態における換気装置の第２の状態を示す縦断面図である。
【図６】本発明の第１の実施の形態における換気装置の平面図である。
【図７】図６のＡ−Ａ断面図である。
【図８】本発明の第２の実施の形態における換気装置の第１の状態を示す縦断面図である。
【図９】本発明の第２の実施の形態における換気装置の第２の状態を示す縦断面図である。
【図１０】本発明の第２の実施の形態における換気装置の平面図である。
【図１１】本発明の第３の実施の形態における換気靴の縦断面図である。
【図１２】本発明の第３の実施の形態における換気靴の平面図である。
【図１３】本発明の第４の実施の形態における換気靴の縦断面図である。
【図１４】本発明の第４の実施の形態における換気靴の平面図である。
【図１５】本発明の第４の実施の形態における換気靴の上紙の平面図である。
【図１６】本発明の第４の実施の形態における換気靴の下紙の平面図である。
【発明を実施するための形態】
【００２３】
以下、本発明の実施の形態について図面を参照しながら詳細に説明する。
【００２４】
図３は本発明の第１の実施の形態における換気靴の縦断面図、図４は本発明の第１の実施の形態における換気靴の平面図である。
【００２５】
図において、３０は換気靴、３１は靴本体部、３２は該靴本体部３１の底部を覆うソール、３３は、前記換気靴３０の後端部において下方に突出させて形成され、円弧部及び直線部から成る形状（以下「ヒール形状」という。）を有するヒールである。前記ソール３２は、中底３５及び下底３６を備え、該下底３６の後端部に前記ヒール３３が、所定の固定方法、例えば、接着剤による接着、溶融による融着等によって取り付けられる。前記中底３５及び下底３６は、例えば、皮革、硬質のゴム、硬質の合成樹脂等によって形成される。
【００２６】
また、靴本体部３１内の換気を行うために、ソール３２及びヒール３３に換気装置４０が配設される。
【００２７】
該換気装置４０は、前記ソール３２に形成された通気部４１、及びヒール３３に形成されたポンプ装置４３を備え、前記通気部４１は、靴本体部３１内の所定の箇所、本実施の形態においては、後方部から空気を吸引して前記ポンプ装置４３に供給するための第１の通気路としての吸気路４４、及びポンプ装置４３内の空気を排出して靴本体部３１内の所定の箇所、本実施の形態においては、前方部に供給するための第２の通気路としての排気路４５を備える。
【００２８】
前記吸気路４４は、ソール３２の所定の部分、本実施の形態においては、ソール３２の後端部に形成された第１の流路４６、及びソール３２の長手方向に延在させて形成され、前端がポンプ装置４３と、後端が第１の流路４６と連結された第２の流路４７を備える。前記第１の流路４６は中底３５に穴を貫通させることによって形成され、前記第２の流路４７は下底３６に形成された溝を中底３５によって覆うことにより形成される。
【００２９】
また、前記排気路４５は、ソール３２の所定の部分、本実施の形態においては、ソール３２の前端部においてソール３２の幅方向に延在させて形成された第１の流路５１、ソール３２の長手方向に延在させて形成され、前端が前記第１の流路５１の中央に連結された第２の流路５２、及び前記第１の流路５１と連通させられ、靴本体部３１内に開口させられる第３の流路５３を備える。そして、前記第１、第２の流路５１、５２は、下底３６に形成された溝を中底３５によって覆うことにより形成され、第３の流路５３は中底３５に所定のピッチで複数の穴を貫通させることによって形成される。
【００３０】
なお、本実施の形態においては、靴本体部３１内の後方部の空気がポンプ装置４３に供給され、ポンプ装置４３内の空気が靴本体部３１内の前方部に供給されるようになっているが、後述されるポンプ装置４３内の吸気用逆止弁７２及び排気用逆止弁７３の動作を逆にすることによって、靴本体部３１内の前方部の空気をポンプ装置４３に供給し、該ポンプ装置４３内の空気を靴本体部３１内の後方部に供給することもできる。
【００３１】
次に、前記換気装置４０について説明する。
【００３２】
図１は本発明の第１の実施の形態における換気装置の第１の状態を示す縦断面図、図５は本発明の第１の実施の形態における換気装置の第２の状態を示す縦断面図、図６は本発明の第１の実施の形態における換気装置の平面図、図７は図６のＡ−Ａ断面図である。なお、図示されるように、前記ヒール形状は円弧部及び直線部から成るので、便宜上、ヒール形状の内側を径方向内方とし、ヒール形状の外側を径方向外方とする。
【００３３】
図において、３１は靴本体部、３２はソール、３３はヒール、３５は中底、３６は下底、４３はポンプ装置、４４は吸気路、４５は排気路、４６は第１の流路、４７は第２の流路である。
【００３４】
前記ポンプ装置４３は、ヒール３３の上端部、本実施の形態においては、前記下底３６におけるヒール３３の直上の部分に配設された第１の層構造体としてのアッパフレーム５５、ヒール形状を有し、前記アッパフレーム５５と対向させて、かつ、アッパフレーム５５に対して上下方向に進退自在に配設された第２の層構造体としてのロワフレーム５６、中空のヒール形状を有し、前記アッパフレーム５５と前記ロワフレーム５６との間において伸縮自在に配設された第３の層構造体としての、かつ、環状体としてのサイドフレーム５７、ヒール形状を有し、前記サイドフレーム５７によって包囲され、サイドフレーム５７の伸縮、すなわち、伸長又は収縮に伴って作動させられる第１の規制部としての、かつ、弁構造体としての弁ユニット５８、該弁ユニット５８とロワフレーム５６との間に配設され、ロワフレーム５６を下方に向けて付勢する第１の付勢部材としての複数の、本実施の形態においては、４個のスプリング５９等を備える。なお、前記アッパフレーム５５及び弁ユニット５８によってフレーム・弁結合部が構成される。前記スプリング５９は、金属製の、本実施の形態においては、ステンレス鋼製のコイルスプリングから成る。
【００３５】
前記ロワフレーム５６は、ヒール形状を有する平板状の本体部６１、及びヒール形状を有し、サイドフレーム５７より径方向内方、かつ、弁ユニット５８より径方向外方において、本体部６１からアッパフレーム５５に向けて突出させて形成された第２の規制部としてのストッパ部６２を備える。該ストッパ部６２は、サイドフレーム５７と対向する外周面の下端部に、サイドフレーム５７に向けて突出させて形成されたスペーサ部６３を備え、該スペーサ部６３によって、サイドフレーム５７とストッパ部６２との間に所定のクリアランスＣＬ１が形成される。
【００３６】
また、サイドフレーム５７が収縮させられていない状態において、アッパフレーム５５の下面とストッパ部６２の上面との間、及び弁ユニット５８の下面と本体部６１の上面との間にそれぞれ２〔ｍｍ〕程度の隙間が形成される。
【００３７】
そして、サイドフレーム５７が収縮させられると、ロワフレーム５６が上昇（上方に移動）し、ストッパ部６２の上面がアッパフレーム５５の下面に、本体部６１の上面が弁ユニット５８の下面に接触させられ、前記各隙間はなくなる。このとき、前記弁ユニット５８及びストッパ部６２によって、アッパフレーム５５に対するロワフレーム５６の更なる上昇が規制される。
【００３８】
また、ストッパ部６２によって径方向内方に空間が形成され、該空間内に弁ユニット５８が嵌入されるので、アッパフレーム５５に対するロワフレーム５６の水平方向の移動が規制される。
【００３９】
前記サイドフレーム５７は、ヒール形状を有し、伸縮自在に配設された第２の付勢部材としてのクッション部６５、及び該クッション部６５の外周面を覆う外周補強材としてのシート６６を備える。そして、前記クッション部６５は、上面においてアッパフレーム５５に、下面においてロワフレーム５６に接着剤による接着又は融着によって固定され、前記シート６６は、内周面においてクッション部６５に接着剤による接着又は融着によって固定される。なお、前記クッション部６５は、所定の付勢力でロワフレーム５６を下方に向けて付勢する。
【００４０】
前記弁ユニット５８は、ヒール形状を有し、上面がアッパフレーム５５に接着剤による接着又は融着によって固定され、下面と本体部６１の上面との間にポンプ室６０を形成する弁ブロック７１、該弁ブロック７１内に配設されたボール式の第１の逆止弁としての吸気用逆止弁７２、ボール式の第２の逆止弁としての排気用逆止弁７３、水抜き等の保全用の栓７４等を備える。なお、弁ユニット５８は、アッパフレーム５５に形成され、ヒール形状を有する凹部Ｃｖ１内に嵌入され、接着剤による接着又は融着によって固定される。
【００４１】
前記吸気用逆止弁７２及び排気用逆止弁７３は、それぞれ弁ブロック７１を貫通させて形成された第１、第２の弁流路７６、７７内に移動自在に配設される。そして、靴本体部３１内の空気の吸引時（以下「吸気時」という。）に、吸気用逆止弁７２は開放され、排気用逆止弁７３は閉鎖され、ポンプ装置４３内の空気の排出時（以下「排気時」という。）に、排気用逆止弁７３は開放され、吸気用逆止弁７２は閉鎖される。
【００４２】
そのために、第１、第２の弁流路７６、７７は、それぞれ上端に環状体８１、８２が取り付けられるとともに、高さ方向における所定の箇所、本実施の形態においては、中央部に段差部ｍ１、ｍ２が形成され、段差部ｍ１と吸気用逆止弁７２との間に吸気用の付勢部材としてのスプリング８３が、前記環状体８２と排気用逆止弁７３との間に排気用の付勢部材としてのスプリング８４が配設される。
【００４３】
なお、前記吸気用逆止弁７２及び排気用逆止弁７３は金属製の、本実施の形態においては、ステンレス鋼製の球体によって形成され、前記スプリング８３、８４は金属製の、本実施の形態においては、ステンレス鋼製のコイルスプリングによって形成される。また、吸気用逆止弁７２及び排気用逆止弁７３を樹脂製の球体によって形成することができる。
【００４４】
前記スプリング８３は吸気用逆止弁７２を所定の付勢力で環状体８１に押し付け、スプリング８４は排気用逆止弁７３を段差部ｍ２に押し付ける。この場合、環状体８１は吸気用逆止弁７２の、段差部ｍ２は排気用逆止弁７３の弁座として機能する。
【００４５】
そして、前記弁ブロック７１には、弁ブロック７１の下面に開口させて、複数の、本実施の形態においては、４個の有底の収容穴８８が形成され、該各収容穴８８に前記各スプリング５９が、上端を収容穴８８の底面に当接させて、下端を本体部６１の上面に当接させて収容される。また、ポンプ室６０に進入した水等の異物を排出するために、前記弁ブロック７１に貫通路８９が、前記中底３５及びアッパフレーム５５に貫通路３５ａ、５５ａが上下方向に貫通させて形成され、前記貫通路８９の上半部に前記栓７４がねじ止めされ、前記貫通路３５ａ、５５ａにゴム製の詰め部材９１が嵌入される。
【００４６】
また、前記アッパフレーム５５には、吸気路４４と第１の弁流路７６とを連通させて、吸気用の口、すなわち、吸気口ｐ１が、排気路４５と第２の弁流路７７とを連通させて、排気用の口、すなわち、排気口ｐ２が形成される。
【００４７】
前記弁ユニット５８とストッパ部６２との間には、弁ユニット５８に対してロワフレーム５６を上下方向に円滑に移動させることができるように、わずかなクリアランスＣＬ２が形成される。そして、前記ポンプ室６０と前記クリアランスＣＬ１、ＣＬ２とが常に連通させられる。
【００４８】
前記ロワフレーム５６は、皮革、硬質のゴム、硬質の合成樹脂等によって形成される。クッション部６５は、軟質のゴム、スポンジゴム、軟質の合成樹脂等の弾性体によって形成される。また、シート６６は織布によって形成され、該織布において、縦糸としてポリウレタン等の弾性を有する合成繊維が、横糸としてアラミド等の引張強度の高い合成繊維が使用され、第１の方向である上下方向において織布の伸縮性が高く、第１の方向に対して直角の第２の方向である水平方向において織布の伸縮性が低くされる。したがって、前記シート６６を、クッション部６５に取り付けることによって、例えば、上下方向においてクッション部６５の伸縮に合わせて伸縮させ、水平方向において伸縮させないようにすることができる。また、前記弁ブロック７１は、硬質のゴム、硬質の合成樹脂、金属等によって形成される。
【００４９】
次に、ポンプ装置４３の動作について説明する。
【００５０】
未装着状態の換気靴３０においては、スプリング５９及びクッション部６５の付勢力によってロワフレーム５６が下方に付勢され、前記アッパフレーム５５の下面とストッパ部６２の上面との間、及び弁ユニット５８の下面と本体部６１の上面との間に所定の隙間が形成される。また、スプリング８３の付勢力によって吸気用逆止弁７２が環状体８１に押し付けられ、スプリング８４の付勢力によって排気用逆止弁７３が段差部ｍ２に押し付けられることにより、吸気用逆止弁７２及び排気用逆止弁７３が閉鎖される。
【００５１】
そして、装着者が換気靴３０を装着して両足を地面に置くと、装着者の体重がヒール３３に加わり、該ヒール３３が地面に押し付けられる。このとき、スプリング５９及びクッション部６５が付勢力に抗して収縮させられ、図５に示されるように、ロワフレーム５６が上昇し、ストッパ部６２の上面がアッパフレーム５５の下面に、本体部６１の上面が弁ユニット５８の下面に接触させられる。また、クッション部６５の内周面が収縮に伴って内方（ストッパ部６２側）に向けて膨出する。なお、クッション部６５の外周面は、シート６６に覆われているので、外方に向けて膨出する量は少ない。
【００５２】
そして、ポンプ室６０の体積が小さくなり、ポンプ室６０内の圧力が高くなり、これに伴って、スプリング８４の付勢力に抗して排気用逆止弁７３が開放される。その結果、ポンプ室６０内の空気は、第２の弁流路７７、排気口ｐ２及び排気路４５内を流れ、第３の流路５３（図３）から靴本体部３１内に供給される。
【００５３】
続いて、装着者が歩行を開始し、一方の足を地面から上げると、装着者の体重がヒール３３に加わらなくなる。このとき、スプリング５９及びサイドフレーム５７が付勢力によって伸長させられ、図１に示されるように、ロワフレーム５６が下方に移動させられ、アッパフレーム５５の下面とストッパ部６２の上面との間、及び弁ユニット５８の下面と本体部６１の上面との間に隙間が形成される。
【００５４】
そして、ポンプ室６０の体積が大きくなり、ポンプ室６０内の圧力が低くなり、これに伴って、スプリング８３の付勢力に抗して吸気用逆止弁７２が開放され、スプリング８４の付勢力によって排気用逆止弁７３が閉鎖される。その結果、靴本体部３１内の空気は、吸気路４４、吸気口ｐ１及び第１の弁流路７６内を流れ、ポンプ室６０に供給される。
【００５５】
このように、本実施の形態においては、アッパフレーム５５とロワフレーム５６との間に配設されたサイドフレーム５７の伸縮に伴って、ポンプ室６０内の圧力を変化させることによって、ポンプ室６０内の空気が靴本体部３１内に供給され、靴本体部３１内の空気がポンプ室６０に供給される。その結果、靴本体部３１内の換気を行うことができる。
【００５６】
また、サイドフレーム５７が収縮させられていない状態における、アッパフレーム５５の下面から弁ユニット５８の下面までの距離、及び弁ユニット５８の下面からロワフレーム５６の上面までの距離によって、上下方向におけるロワフレーム５６の移動量、すなわち、ストローク量が設定されるので、装着者の体重の大きさによってストローク量が変化することがない。したがって、靴本体部３１内に供給されたり、ポンプ室６０に供給されたりする空気の量、すなわち、換気量を常に一定にすることができる。
【００５７】
しかも、弁ユニット５８の下面と本体部６１の上面との間にポンプ室６０が形成されるので、ポンプ室６０のポンプ面積（断面積）を大きくすることができる。したがって、ロワフレーム５６のストローク量が小さくても、換気量を大きくすることができる。
【００５８】
さらに、ポンプ室６０が円筒形の形状を有するので、ロワフレーム５６が上下方向に移動する間、ロワフレーム５６のストローク量と換気量とを比例させることができる。したがって、靴本体部３１内の換気量を安定させることができる。
【００５９】
そして、ストッパ部６２によって、アッパフレーム５５に対するロワフレーム５６の水平方向の移動が規制されるので、ヒール３３に水平方向の力が加わっても、サイドフレーム５７を安定させて伸縮させることができる。その結果、換気量が変動することはない。
【００６０】
また、靴本体部３１に装着者の足が精度良く密着して装着されると、足を地面から離しても踵がヒール３３から離れなくなることがあるが、アッパフレーム５５に対してロワフレーム５６を相対的に移動させることができるので、サイドフレーム５７を確実に伸縮させることができる。したがって、靴本体部３１内の換気を十分に行うことができる。
【００６１】
さらに、弁ユニット５８はサイドフレーム５７によって換気靴３０外と遮断されているので、換気靴３０外から泥、水等の異物が進入して弁ユニット５８に付着するのを防止することができる。したがって、吸気用逆止弁７２及び排気用逆止弁７３が作動しなくなることがないので、靴本体部３１内の換気を円滑に行うことができる。
【００６２】
ところで、本実施の形態において、クッション部６５は、アッパフレーム５５及びロワフレーム５６に接着剤による接着又は融着によって固定されるようになっているが、接着剤又は融着部分が劣化すると、クッション部６５をアッパフレーム５５及びロワフレーム５６に十分に固定することができなくなる。その結果、換気靴３０の耐久性が低くなってしまう。
【００６３】
そこで、換気靴３０の耐久性が低くなるのを抑制するようにした本発明の第２の実施の形態について説明する。なお、第１の実施の形態と同じ構造を有するものについては、同じ符号を付与し、同じ構造を有することによる発明の効果については同実施の形態の効果を援用する。
【００６４】
図８は本発明の第２の実施の形態における換気装置の第１の状態を示す縦断面図、図９は本発明の第２の実施の形態における換気装置の第２の状態を示す縦断面図、図１０は本発明の第２の実施の形態における換気装置の平面図である。
【００６５】
図において、１０１はヒール形状を有するフレーム・弁結合部であり、該フレーム・弁結合部１０１は、上面が下底３６に接着剤による接着又は融着によって固定される。そのために、前記下底３６におけるヒール３３の直上の部分に凹部Ｃｖ１が形成され、該凹部Ｃｖ１内にフレーム・弁結合部１０１が嵌入される。
【００６６】
フレーム・弁結合部１０１は、外周縁に沿って環状に形成されたフランジ部としての、かつ、第１の層構造体としてのアッパフレーム１５５、及び該アッパフレーム１５５より内側において、アッパフレーム１５５と一体に形成された第１の規制部としての、かつ、弁構造体としての弁ユニット１５８を備える。
【００６７】
また、１５６は、前記フレーム・弁結合部１０１と対向させて、かつ、フレーム・弁結合部１０１に対して上下方向に進退自在に配設された第２の層構造体としてのロワフレーム、１５７は、中空のヒール形状を有し、前記アッパフレーム１５５とロワフレーム１５６との間において伸縮自在に配設された第３の層構造体としての、かつ、環状体としてのサイドフレーム、５９は、前記弁ユニット１５８とロワフレーム１５６との間に配設され、ロワフレーム１５６を下方に向けて付勢する第１の付勢部材としての複数の、本実施の形態においては、５個のスプリングである。
【００６８】
前記弁ユニット１５８は、前記サイドフレーム１５７によって包囲され、前記サイドフレーム１５７の伸縮に伴って作動させられる。
【００６９】
前記ロワフレーム１５６は、ヒール形状を有する平板状の本体部１６１、及びヒール形状を有し、サイドフレーム１５７より径方向内方、かつ、弁ユニット１５８より径方向外方において、本体部１６１からアッパフレーム１５５に向けて突出させて形成された第２の規制部としてのストッパ部１６２を備える。該ストッパ部１６２は、サイドフレーム１５７と対向する外周面の下端部に、サイドフレーム１５７に向けて突出させて形成されたスペーサ部１６３を備え、該スペーサ部１６３によって、サイドフレーム１５７とストッパ部１６２との間に所定のクリアランスＣＬ１が形成される。
【００７０】
また、前記ストッパ部１６２における弁ユニット１５８と対向する内周面の所定の箇所に、第１の係止部としてのフック１０３が形成され、弁ユニット１５８におけるストッパ部１６２と対向する外周面の前記フック１０３と対応する箇所に、第２の係止部としてのフック１０４が形成され、サイドフレーム１５７が収縮させられていない状態において、フック１０３、１０４が互いに係止させられる。
【００７１】
なお、本実施の形態において、ストッパ部１６２によって径方向内方に形成された空間内に弁ユニット１５８が所定の力で嵌入されると、フック１０４は、弾性体として機能するストッパ部１６２を拡開させ、フック１０３と係止させられる。
【００７２】
また、本実施の形態において、前記サイドフレーム１５７は、第１の実施の形態におけるクッション部６５として機能し、上面においてアッパフレーム１５５に、下面においてロワフレーム１５６に接着剤による接着又は融着によって固定される。
【００７３】
前記弁ユニット１５８とストッパ部１６２との間には、弁ユニット１５８に対してロワフレーム１５６を上下方向に円滑に移動させることができるように、わずかなクリアランスＣＬ２が形成される。そして、前記ポンプ室６０と前記クリアランスＣＬ１、ＣＬ２とが常に連通させられる。
【００７４】
このように、本実施の形態においては、サイドフレーム１５７が収縮させられていない状態において、フック１０３、１０４が係止させられるので、ロワフレーム１５６に大きな外力が加わっても、サイドフレーム１５７をアッパフレーム１５５及びロワフレーム１５６に安定させて固定することができる。その結果、換気靴３０の耐久性が低くなるのを抑制することができる。
【００７５】
ところで、前記第１、第２の実施の形態においては、ストッパ部６２、１６２によって径方向内方に形成された空間内に弁ユニット５８、１５８がそれぞれ嵌入されることによって、アッパフレーム５５、１５５に対するロワフレーム５６、１５６の水平方向の移動が規制されるようになっている。
【００７６】
したがって、ロワフレーム５６、１５６にストッパ部６２、１６２が形成されるので、構造が複雑になるだけでなく、換気靴３０のコストが高くなってしまう。
【００７７】
そこで、ヒールをソールと一体的に形成することによって、アッパフレームに対するロワフレームの水平方向の移動を規制し、ロワフレームの構造を簡素化し、換気靴３０のコストが高くならないようにした本発明の第３の実施の形態について説明する。なお、第１、第２の実施の形態と同じ構造を有するものについては、同じ符号を付与し、同じ構造を有することによる発明の効果については同実施の形態の効果を援用する。
【００７８】
図１１は本発明の第３の実施の形態における換気靴の縦断面図、図１２は本発明の第３の実施の形態における換気靴の平面図である。
【００７９】
図において、２３２は靴本体部３１の底部を覆うソールであり、該ソール２３２は中底３５、下底３６及び該下底３６を覆う表底２１０を備え、ソール２３２の長手方向における中央部から後端部にかけて、前記ソール２３２と一体的にヒール１３３が形成される。なお、前記中底３５、下底３６及び表底２１０は、例えば、皮革、硬質のゴム、硬質の合成樹脂等によって形成される。
【００８０】
また、靴本体部３１内の換気を行うために、ソール２３２及びヒール１３３に換気装置４０が配設される。
【００８１】
該換気装置４０は、前記ソール２３２に形成された通気部１４１、及びヒール１３３に形成されたポンプ装置４３を備え、前記通気部１４１は、靴本体部３１内の所定の箇所、本実施の形態においては、前方部から空気を吸引して前記ポンプ装置４３に供給するための第１の通気路としての吸気路２４５、及びポンプ装置４３内の空気を排出して靴本体部３１内の所定の箇所、本実施の形態においては、後方部に供給するための第２の通気路としての排気路２４４を備える。
【００８２】
前記吸気路２４５は、ソール２３２の所定の部分、本実施の形態においては、ソール２３２の前端部において幅方向に延在させて形成された第１の流路１５１、ソール２３２の長手方向に延在させて形成され、前端が前記第１の流路１５１の中央に連結された第２の流路１５２、及び前記第１の流路１５１と連通させられ、靴本体部３１内に開口させられる第３の流路１５３を備える。
【００８３】
また、前記排気路２４４は、ソール２３２の所定の部分、本実施の形態においては、ソール２３２の後端部において長手方向に延在させて形成され、前端がポンプ装置４３と連結され、後端に排気開口２４８が形成された流路２４６を備える。
【００８４】
そして、前記ポンプ装置４３は、下底３６におけるヒール１３３の上端部に形成された第１の層構造体としてのアッパフレーム３５５、該アッパフレーム３５５と対向させて、かつ、アッパフレーム３５５に対して上下方向に進退自在に配設され、表底２１０におけるヒール１３３の部分によって平板状に形成された第２の層構造体としてのロワフレーム３５６、前記アッパフレーム３５５と前記ロワフレーム３５６との間において伸縮自在に配設された第３の層構造体としての、かつ、環状体としてのサイドフレーム３５７、ヒール形状を有し、前記サイドフレーム３５７によって包囲され、サイドフレーム３５７の伸縮に伴って作動させられる規制部としての、かつ、弁構造体としての弁ユニット３５８等を備える。
【００８５】
前記サイドフレーム３５７が収縮させられていない状態において、弁ユニット３５８の下面とロワフレーム３５６の上面との間に２〔ｍｍ〕程度の隙間が形成される。
【００８６】
そして、サイドフレーム３５７が収縮させられると、ロワフレーム３５６が上昇し、ロワフレーム３５６の上面が弁ユニット３５８の下面に接触させられ、前記隙間はなくなる。このとき、前記弁ユニット３５８によって、アッパフレーム３５５に対するロワフレーム３５６の更なる上昇が規制される。
【００８７】
前記ヒール１３３を形成するために、前記中底３５及び下底３６は、ソール２３２の長手方向におけるほぼ中央部から後方に向けて斜めに立ち上げられ、ソール２３２の後端部において水平に延在させられ、また、前記表底２１０は、ソール２３２の長手方向における全体にわたり水平に延在させられる。したがって、前記サイドフレーム３５７は、ソール２３２の長手方向におけるほぼ中央部から徐々に厚くされ、ソール２３２の後端部において一定の厚さにされる。
【００８８】
そして、中底３５が下底３６に、下底３６が表底２１０及びサイドフレーム３５７に、サイドフレーム３５７が表底２１０に、接着剤による接着又は融着によってそれぞれ固定される。
【００８９】
前記弁ユニット３５８は、ヒール形状を有し、上面がアッパフレーム３５５に接着剤による接着又は融着によって固定され、下面とロワフレーム３５６の上面との間にポンプ室３６０を形成する弁ブロック３７１、該弁ブロック３７１内に配設されたボール式の第１の逆止弁としての吸気用逆止弁３７２、ボール式の第２の逆止弁としての排気用逆止弁３７３等を備える。なお、弁ユニット３５８の上面から上方に向けて、トラック形状を有する突起３５８ａが突出させて形成され、該突起３５８ａは、前記アッパフレーム３５５に形成され、トラック形状を有する貫通孔ｈ１内に嵌入させられる。
【００９０】
本実施の形態においては、ソール２３２におけるほぼ中央部から前端部までの前方領域で下底３６と表底２１０とが接着剤による接着又は融着によって固定されるので、中底３５と下底３６とを、また、下底３６と表底２１０とを安定させて固定することができる。
【００９１】
したがって、アッパフレーム３５５とロワフレーム３５６とが、ソール２３２における前方領域で互いに固定されるので、アッパフレーム３５５に対するロワフレーム３５６の水平方向の移動を規制することができる。その結果、ロワフレーム３５６から上方に向けて突出させてストッパ部等を形成する必要がなく、ロワフレーム３５６の構造を簡素化することができるので、換気靴３０のコストが高くならない。また、ポンプ室３６０の容積を大きくすることができるので、ロワフレーム３５６のストローク量が小さくても、換気量を大きくすることができる。
【００９２】
ところで、第３の実施の形態において、吸気路２４５における第１、第２の流路１５１、１５２は、下底３６に形成された溝を中底３５によって覆うことにより形成され、第３の流路１５３は中底３５に所定のピッチで複数の穴を貫通させることによって形成され、排気路２４４における流路２４６は下底３６に穴を貫通させることによって形成される。したがって、皮革、硬質のゴム、硬質の合成樹脂等を加工して溝、穴等を形成しなければならず、吸気路２４５及び排気路２４４を形成するための作業が煩雑になるだけでなく、換気靴３０のコストが高くなってしまう。
【００９３】
そこで、吸気路及び排気路を形成するための作業を簡素化することができるようにした本発明の第４の実施の形態について説明する。なお、第１〜第３の実施の形態と同じ構造を有するものについては、同じ符号を付与し、同じ構造を有することによる発明の効果については同実施の形態の効果を援用する。
【００９４】
図１３は本発明の第４の実施の形態における換気靴の縦断面図、図１４は本発明の第４の実施の形態における換気靴の平面図、図１５は本発明の第４の実施の形態における換気靴の上紙の平面図、図１６は本発明の第４の実施の形態における換気靴の下紙の平面図である。
【００９５】
図において、３３２は靴本体部３１の底部を覆うソールであり、該ソール３３２は中底３３５、下底３３６及び該下底３３６を覆う表底２１０を備え、ソール３３２の長手方向における中央部から後端部にかけて、前記ソール３３２と一体的にヒール１３３が形成される。前記下底３３６は、第１のプレートとしての上紙３６１、及び第２のプレートとしての下紙３６２を重ねることによって形成される。前記上紙３６１及び下紙３６２は、いずれも、所定の厚さ、（本実施の形態においては、約２〔ｍｍ〕）を有する厚紙によって形成され、前記表底２１０は、例えば、皮革、硬質のゴム、硬質の合成樹脂等によって形成される。なお、厚紙に代えて上紙３６１及び下紙３６２を樹脂シートによって形成することもできる。
【００９６】
また、靴本体部３１内の換気を行うために、ソール３３２及びヒール１３３に換気装置４０が配設される。
【００９７】
該換気装置４０は、前記ソール３３２に形成された通気部４１、及びヒール１３３に形成されたポンプ装置４３を備え、前記通気部４１は、靴本体部３１内の所定の箇所、本実施の形態においては、前方部から空気を吸引して前記ポンプ装置４３に供給するための第１の通気路としての吸気路３４５、及びポンプ装置４３内の空気を排出して靴本体部３１内の所定の箇所、本実施の形態においては、後方部に供給するための第２の通気路としての排気路３４４を備える。
【００９８】
前記吸気路３４５は、ソール３３２の所定の部分、本実施の形態においては、ソール３３２の前端部においてソール３３２の幅方向に延在させて形成された第１の流路３５１、ソール３３２の長手方向に延在させて形成され、前端が前記第１の流路３５１の中央に連結された第２の流路３５２、及び前記第１の流路３５１と連通させられ、靴本体部３１内に開口させられる第３の流路３５３を備える。
【００９９】
また、前記排気路３４４は、ソール３３２の所定の部分、本実施の形態においては、ソール３３２の後端部に形成された第１の流路３４６、及びソール３３２の長手方向に延在させて形成され、前端がポンプ装置４３と、後端が第１の流路３４６と連結された第２の流路３４７を備える。
【０１００】
前記吸気路３４５における第１、第２の流路３５１、３５２、及び排気路３４４における第２の流路３４７は、前記上紙３６１及び前記下紙３６２を重ねることによって形成され、吸気路３４５における第３の流路３５３は、中底３３５に所定のピッチで複数の穴ｈａ、ｈｂを貫通させることによって形成され、排気路３４４における第１の流路３４６は、中底３３５に所定のピッチで複数の穴ｈｃを貫通させることによって形成される。
【０１０１】
そのために、前記上紙３６１において、第３の流路３５３における穴ｈａ、ｈｂと対応させて複数の穴ｎ１、ｎ２が、第１の流路３４６における穴ｈｃと対応させて複数の穴ｎ３が形成される。また、前記下紙３６２において、吸気路３４５における第１の流路３５１と対応させて溝部ｍ１、ｍ２が、第２の流路３５２と対応させて溝部ｍ３が、排気路３４４における第１の流路３４６と対応させて溝部ｍ４が、第２の流路３４７と対応させて溝部ｍ５が形成される。なお、前記溝部ｍ４は扇状の形状を有し、前記各穴ｎ３は扇状に分布させられる。前記溝部ｍ１〜ｍ５及び穴ｎ１〜ｎ３は、金型等によって厚紙に打抜き加工を施すことにより形成される。
【０１０２】
また、規制部としての、かつ、弁構造体としての弁ユニット３５８は、楕円形状を有し、上面が第１の層構造体としてのアッパフレーム３５５に接着剤による接着又は融着によって固定され、下面と第２の層構造体としてのロワフレーム３５６の上面との間にポンプ室３６０を形成する弁ブロック３７１、該弁ブロック３７１内に配設されたボール式の第１の逆止弁としての吸気用逆止弁３７２、ボール式の第２の逆止弁としての排気用逆止弁３７３等を備える。なお、弁ユニット３５８の上面から上方に向けて、トラック形状を有する突起３５８ｂが突出させて形成され、該突起３５８ｂは、前記アッパフレーム３５５に形成され、トラック形状を有する貫通孔ｈ２内に嵌入させられる。
【０１０３】
このように、本実施の形態においては、厚紙に打抜き加工を施すことによって、下紙３６２に溝部ｍ１〜ｍ５を、上紙３６１に穴ｎ１〜ｎ３を形成することができるので、吸気路３４５及び排気路３４４を形成するための作業を簡素化することができるだけでなく、換気靴３０のコストが高くならない。
【０１０４】
なお、本発明は前記各実施の形態に限定されるものではなく、本発明の趣旨に基づいて種々変形させることが可能であり、それらを本発明の範囲から排除するものではない。
【符号の説明】
【０１０５】
３０    換気靴
３１    靴本体部
３２、２３２、３３２    ソール
３３、１３３  ヒール
４１、１４１    通気部
４３    ポンプ装置
４４、２４５、３４５    吸気路
４５、２４４、３４４    排気路
５５、１５５、３５５    アッパフレーム
５６、１５６、３５６    ロワフレーム
５７、１５７、３５７    サイドフレーム
５８、１５８、３５８    弁ユニット
６０、３６０    ポンプ室
【図１】
2013212348.tif 000003
【図２】
2013212348.tif 000004
【図３】
2013212348.tif 000005
【図４】
2013212348.tif 000006
【図５】
2013212348.tif 000007
【図６】
2013212348.tif 000008
【図７】
2013212348.tif 000009
【図８】
2013212348.tif 000010
【図９】
2013212348.tif 000011
【図１０】
2013212348.tif 000012
【図１１】
2013212348.tif 000013
【図１２】
2013212348.tif 000014
【図１３】
2013212348.tif 000015
【図１４】
2013212348.tif 000016
【図１５】
2013212348.tif 000017
【図１６】
2013212348.tif 000018